(57)【要約】【課題】インシュレータに保持した端子ピンの一方端を回路基板の孔部に挿入してハンダで電気的に接続する際にも端子ピンがインシュレータから脱落することを防止する。【解決手段】第１のインシュレータ６の突極装着部９間に端子ピン装着部１０を設け、ステータコア２を介して対向する第２のインシュレータ７の突極装着部１４間に端子ピン装着部１５を設ける。第１と第２の端子ピン装着部１０、１５には、端子ピン８をインシュレータ６、７の径外方（Ａ２方向）から嵌め込んで嵌着させる一対の爪部１１，１１、１６，１６を設け、該爪部１１，１１、１６，１６に、嵌着された端子ピン８が径外方（Ａ１方向）へ抜けるのを止める返し１２，１２、１７，１７を設ける。【選択図】図４
2014217208.tif 000002
【特許請求の範囲】
【請求項１】
複数の突極を備えたコアを所定枚数、積層してなるステータコアと、
前記ステータコアの一面側から軸方向に装着される第１のインシュレータと、
前記ステータコアの他の面側から軸方向に装着される第２のインシュレータと、
前記第１及び第２のインシュレータに装着され、一端部が、前記第１及び第２のインシュレータの上から巻回されるコイルの末端部に接続される端子ピンと
を有するブラシレスモータのステータ構造において、
前記第１のインシュレータに設けられ、前記ステータコアのそれぞれの突極を覆う突極装着部のうちの隣接する突極装着部間に設けられる第１の端子装着部と、
前記第２のインシュレータに設けられ、前記ステータコアのそれぞれの突極を覆う突極装着部のうちの隣接する突極装着部間に設けられる第２の端子装着部と
を具備し、
前記第１の端子装着部と前記第２の端子装着部は、
前記端子ピンを前記第１及び第２のインシュレータの半径方向から嵌め込んで嵌着させる一対の爪部と、
前記一対の爪部に形成され、前記一対の爪部に嵌着された前記端子ピンが前記半径方向に抜けるのを止める抜け止め用突起部と
をそれぞれ有することを特徴とするブラシレスモータのステータ構造。
【発明の詳細な説明】
【技術分野】
【０００１】
本発明は、ブラシレスモータのステータ構造に関する。
【背景技術】
【０００２】
ブラシレスモータとして、ステータコアと、ステータコアに装着される一対のインシュレータと、インシュレータ上に巻回されるコイルとを備え、インシュレータに端子ピンを装着する機構を備えたものが知られている。この種の従来のモータの一例として、下記特許文献１には、インシュレータに端子ピンを挿入固着し、この端子ピンの一方端にコイル端末を絡げて電気的に接続し、端子ピンの他方端を回路基板の孔部に挿入して電気的に接続する構成を有するファンモータが記載されている。
【０００３】
図６は特許文献１記載のファンモータにおけるインシュレータの平面図であり、特に、一対のインシュレータにおける一方のインシュレータの平面図を示している。図７は図６に示すインシュレータのＡ−Ｏ−Ｂ線による断面図を示している。このファンモータにおいて、ステータは、ステータコアと、軸方向の両側からステータコアに装着される一対のインシュレータと、ステータコアに装着された一対のインシュレータに巻回されたコイルとを備えている。
【０００４】
図６に示すように、一対のインシュレータの内、一方のインシュレータ１１５は、筒部１２１と、ステータコアに対応する壁部１２２と、壁部１２２から立設される立ち上り片部１２３と、壁部１２２の裏面外周側に垂下される垂下片１２４（図７参照）とを備えている。立ち上り片部１２３は、切欠き部１２９に位置し、外径方向へ突出する突出部１２５が設けられている。この突出部１２５は、その上面に、断面略Ｃの字状の包囲カバー突片１２７が設けられている。また、図７に示すように、上記突出部１２５には貫通孔１２６が設けられる。端子ピン１２８は、この貫通孔１２６に挿通され、インシュレータに保持されて一体化されている。
【０００５】
特許文献１記載のファンモータにおいて、一対のインシュレータをステータコアに装着すると、一方のインシュレータ１１５の突出部１２５から端子ピン１２８の一端部が軸方向下方に突出し、端子ピン１２８の他端部は他方のインシュレータの切欠き部を介して軸方向上方に突出する。そして、端子ピン１２８の他端部は上述したコイル端末が絡げられて電気的に接続される。端子ピン１２８の一端部は回路基板の孔部に挿入して電気的に接続される。
【先行技術文献】
【特許文献】
【０００６】
【特許文献１】特開平６−２５３４８２号公報（特許第３４５９０８３号公報）
【発明の概要】
【発明が解決しようとする課題】
【０００７】
上述したように、特許文献１に記載されたファンモータにおいて、インシュレータは、立ち上り片部１２３に外径方向へ突出して設けられる突出部１２５に設けられる貫通孔１２６に端子ピンを圧入し、当該インシュレータ１１５に保持する構造となっている。この構造によれば、端子ピン１２８を貫通孔１２６に圧入する際、端子ピン１２８はインシュレータを削りながら挿通される。
【０００８】
このため、端子ピン１２８とインシュレータとの接触状態にバラツキが生じ易く、保持力もバラツキが生じる。その結果、端子ピン１２８の一端部を回路基板の孔部に挿入してハンダで電気的に接続する際、インシュレータの樹脂が軟化し、場合によっては端子ピン１２８がインシュレータから脱落する虞があった。
【０００９】
本発明は、上記した課題を解決するためになされたものであり、インシュレータに保持した端子ピンの一方端を回路基板の孔部に挿入してハンダで電気的に接続する際にも端子ピンがインシュレータから脱落することを防止できるブラシレスモータのステータ構造を提供することを目的とする。
【課題を解決するための手段】
【００１０】
上記した課題を解決するために、本発明は、複数の突極を備えたコアを所定枚数、積層してなるステータコアと、前記ステータコアの一面側から軸方向に装着される第１のインシュレータと、前記ステータコアの他の面側から軸方向に装着される第２のインシュレータと、前記第１及び第２のインシュレータに装着され、一端部が、前記第１及び第２のインシュレータの上から巻回されるコイルの末端部に接続される端子ピンとを有するブラシレスモータのステータ構造において、前記第１のインシュレータに設けられ、前記ステータコアのそれぞれの突極を覆う突極装着部のうちの隣接する突極装着部間に設けられる第１の端子装着部と、前記第２のインシュレータに設けられ、前記ステータコアのそれぞれの突極を覆う突極装着部のうちの隣接する突極装着部間に設けられる第２の端子装着部とを具備し、前記第１の端子装着部と前記第２の端子装着部は、前記端子ピンを前記第１及び第２のインシュレータの半径方向から嵌め込んで嵌着させる一対の爪部と、前記一対の爪部に形成され、前記一対の爪部に嵌着された前記端子ピンが前記半径方向に抜けるのを止める抜け止め用突起部とをそれぞれ有することを特徴とする。
【発明の効果】
【００１１】
本発明によれば、インシュレータに保持した端子ピンの一方端を回路基板の孔部に挿入してハンダで電気的に接続する際にも端子ピンがインシュレータから脱落することを防止できるブラシレスモータのステータ構造を提供可能となる。
【図面の簡単な説明】
【００１２】
【図１】本発明の一実施形態に係るブラシレスモータのステータ構造の断面図である。
【図２】図１に示すステータ構造の平面図である。
【図３】図１に示すステータ構造の底面図である。
【図４】図１に示す端子ピン装着部の詳細構成を示す要部拡大図である。
【図５】図１に示す端子ピンの構成を示す斜視図である。
【図６】従来のモータにおけるインシュレータの構造を示す平面図である。
【図７】図６に示すインシュレータのＡ−Ｏ−Ｂ線による断面図である。
【発明を実施するための形態】
【００１３】
以下、図面を参照して、本発明を実施するための形態（以下、本実施形態という）について詳細に説明する。なお、本実施形態の説明の全体を通して同じ要素には同じ番号を付している。
【００１４】
（一実施形態の構成）
図１は、本発明の一実施形態に係るブラシレスモータのステータ構造１を示す断面図である。図１に示すように、本実施形態のブラシレスモータのステータ構造１は、ステータコア２と、このステータコア２に装着した絶縁材からなるインシュレータ５と、インシュレータ５の上から巻回されたコイル１９とを備えている。ステータコア２は、軟磁性材料（例えば、ケイ素鋼板、電磁鋼板）からなるコアを所定枚数、積層したものである。
【００１５】
インシュレータ５は、ステータコア２の一面側から軸方向（ステータコア２の中心軸方向）に装着される第１のインシュレータ６と、ステータコア２の他の面側から上記軸方向に装着される第２のインシュレータ７とから構成されている。図１においては、第１のインシュレータ６はステータコア２の上面側に装着され、第２のインシュレータ６はステータコア２の下面側に装着されている。上記コイル１９は、第１のインシュレータ６、第２のインシュレータ７の上からステータコア２の後述する突極３に対して巻回されている。
【００１６】
図２は、図１に示すステータ構造１の平面図であり、第１のインシュレータ６の外観構成を示した図である。図２においては、第１のインシュレータ６の環状部６０の中心点Ｏを基準とし、該中心点Ｏから環状部６０の半径方向（矢印Ａ方向）に沿って外側に向く方向を径外方（矢印Ａ１方向）とし、上記半径方向に沿って環状部６０の中心点Ｏ側に向く方向を径内方（矢印Ａ２方向）とするものとする。なお、図２では、便宜上、図１に開示したコイル１９の図示を省略している。
【００１７】
図２に示すように、第１のインシュレータ６は、環状部６０から該環状部６０の径外方に放射状に延びる複数個、本実施形態では、例えば、９個の突極装着部９を備えている。この突極装着部９は、当該第１のインシュレータ６の裏面側（紙面の裏側）に当接されているステータコア２の上記一面側のうちの突極３を覆う部材、すなわち、ステータコア２の突極３に外側から装着される部材である。この突極装着部９の先端部は、上記ステータコア２の突極３の上部に設けられる極歯部４に対応する平面形状を有している。
【００１８】
図３は、図１に示すステータ構造１の底面図であり、第２のインシュレータ７の外観構成を示した図である。図３において、図２と同様、第２のインシュレータ７の環状部７０の中心点Ｏを基準とし、該中心点Ｏから環状部７０の半径方向（矢印Ａ方向）に沿って外側に向く方向を径外方（矢印Ａ１方向）とし、上記半径方向に沿って環状部６０の中心点Ｏ側に向く方向を径内方（矢印Ａ２方向）とするものとする。図２においても、便宜上、図１に開示したコイル１９の図示を省略している。
【００１９】
図３に示すように、第２のインシュレータ７は、環状部７０から当該環状部７０の径外方に放射状に延びる複数個、本実施形態では、例えば、９個の突極装着部１４を備えている。この突極装着部１４は、当該第２のインシュレータ７の裏面側（紙面の裏側）に当接されているステータコア２の上記他の面側のうちの突極３を覆う部材、すなわち、ステータコア２の突極３に外側から装着される部材である。この突極装着部１４の先端部も、上記ステータコア２の突極３の上部に設けられる極歯部４に対応する平面形状を有している。
【００２０】
図２、図３に示すように、ステータコア２（図１参照）に対して軸方向に一面側から装着する第１のインシュレータ６、及び他の面側から装着する第２のインシュレータ７は、その平面形状が、ステータコア２の第１のインシュレータ６が装着される側の面、あるいは第２のインシュレータ７が装着される側の面の平面形状にそれぞれ対応した形状を有する。
【００２１】
また、ステータコア２は、環状部（一端面と他の端面から上記環状部６０、７０によりそれぞれ覆われる）から径外方に向かって放射状に９個の突極３を有し、それぞれの突極３の先端には周方向に広がった極歯部４が形成される構造となっている。
【００２２】
図２に示すように、ステータコア２の突極３と極歯部４は、それぞれ、第１のインシュレータ６の突極装着部９の裏側に存在する（点線の引き出し線参照）。同様に、図３に示すように、ステータコア２の突極３と極歯部４（但し、第１のインシュレータ６の突極装着部９の装着面とは反対側の面）とが、それぞれ、第２のインシュレータ７の突極装着部１４の裏側位置に存在する（点線の引き出し線参照）。
【００２３】
ステータコア２の９個の突極３のそれぞれには、該突極３の一面側に装着される第１のインシュレータ６、他の面側に装着される第２のインシュレータ７の上から上述したコイル１９（図示省略）が巻回されている。特に、本実施形態のステータ構造１は、１２０度間隔で（２つおきに）同相のコイル１９を設けた３相９スロット（コイルの数）のブラシレスモータに適用されている。
【００２４】
ここで第１のインシュレータ６と第２のインシュレータ７は、上記各スロットに対応する９個のコイル１９とこれら各コイル１９が巻回される各突極３との間をそれぞれ電気的に絶縁するものである。そして、第１のインシュレータ６と第２のインシュレータ７は、上記各コイル１９に対応して端子ピン８の装着を受け入れる機構を有する。例えば、図１において、第１のインシュレータ６と第２のインシュレータ７は、ステータコア２に対して上面側と底面側とからそれぞれ装着され、この装着状態で、軸方向と平行に、第１のインシュレータ６の環状部６０、第２のインシュレータ７の環状部７０の径内方（矢印Ａ２方向）に向けて移動してくる端子ピン８の装着をそれぞれ受け入れている。
【００２５】
なお、端子ピン８は、図５に示すように、例えば、長尺の角ピンで構成されている。この端子ピン８は、図１に示すように第１のインシュレータ６と第２のインシュレータ７とに装着された状態で、その一方の端部が、ステータコア２の突極３に突極装着部９、１４の上から巻回された上記コイル１９のコイル端末（コイルの末端）に絡げられて電気的に接続される。また、端子ピン８の他方の端部は、図示しない回路基板の貫通孔に挿通されて電気的に接続される。
【００２６】
次に、本実施形態に係るステータ構造１における端子ピン８の装着構造について説明する。図２に示す第１のインシュレータ６において、ステータコア２の突極３が装着される突極装着部９のうち、隣接する突極装着部９の間には、端子ピン８を装着する端子ピン装着部（特許請求の範囲における第１の端子装着部に相当する）１０がそれぞれ設けられる。同様に、図３に示す第２のインシュレータ７において、ステータコア２の突極３が装着される突極装着部１４のうち、隣接する突極装着部１４の間には、端子ピン８を装着する端子ピン装着部（特許請求の範囲における第２の端子装着部に相当する）１５がそれぞれ設けられる。また、第１のインシュレータ６の端子ピン装着部１０と第２のインシュレータ７の端子ピン装着部１５とは、ステータコア２を挟んで互いに対向する位置に設けられている。
【００２７】
図４は、本実施形態に係る端子ピン装着部の詳細構成を示す要部拡大図である。具体的には、図２の平面図における第１のインシュレータ６の符号Ｃが付された円内の拡大図を示している。図４に示すように、第１のインシュレータ６は、隣接する突極装着部９間に端子ピン装着部１０が設けられる。この端子ピン装着部１０は、矩形の断面形状を有する（図５参照）端子ピン８を、ステータコア２の環状部、すなわち第１のインシュレータ６の環状部６０、第２のインシュレータ７の環状部７０の径内方(矢印Ａ２方向)への端子ピン８の移動に合わせてその装着を受け入れるものである。
【００２８】
ここで、第１のインシュレータ６の突極装着部９は、その先端部に端子ピン８の装着方向（矢印Ａ２方向）と直交する方向の幅より広い開口部を有する一対の爪部１１，１１と、上記開口部から奥側（端子ピン８の装着方向）に向かって次第に開口幅が小さくなるように上記爪部１１，１１に内設された返し（抜け止め用突起部）１２，１２とを形成して構成される。そして、上記一対の爪部１１，１１は、上記返し１２，１２の更に奥側に、該返し１２，１２により径外方（矢印Ａ１方向）へ抜けることなくその内部に端子ピン８を収容する収容部が設けられている。
【００２９】
なお、図４において、第１のインシュレータ６の突極装着部９は、ステータコア２を挟んで第２のインシュレータ７の端子ピン装着部１５と互いに対向する位置に設けられ、突極装着部１４と同一の形状を有している。すなわち、図４において、第１のインシュレータ６の端子ピン装着部１０には、その裏面側に、ステータコア２を介して、第２のインシュレータ７の端子ピン装着部１５（端子ピン装着部１０に関連付けて括弧書きの符号で示す）が対向して配置されている。
【００３０】
第２のインシュレータ７の端子ピン装着部１５もまた、第１のインシュレータ６の端子ピン装着部１０と同様、その先端部に端子ピン８の装着方向（矢印Ａ２方向）と直交する方向の幅より広い開口部を有する一対の爪部１６，１６と、上記開口部から奥側（端子ピン８の装着方向）に向かって次第に開口幅が小さくなるように上記爪部１６，１６に内設された返し（抜け止め用突起部）１７，１７とを形成して構成される。そして、上記一対の爪部１６，１６は、上記返し１７，１７の更に奥側に、該返し１７，１７により径外方（矢印Ａ１方向）へ抜けることなくその内部に端子ピン８を収容する収容部が設けられている。
【００３１】
図４に示した端子ピン装着部１０、１５の構成によれば、第１のインシュレータ６の端子ピン装着部１０と、第２のインシュレータ７の端子ピン装着部１５とは、ステータコア２の隣接する突極３の間に互いに対応して配置されることとなる。これにより、本実施形態では、端子ピン装着部１０、１５に対する端子ピン８の装着作業は、図２、図３に示すように、第１のインシュレータ６と第２のインシュレータ７が各面側から装着されたステータコア２の隣接する突極３の間において、端子ピン８を該ステータコア２の径内方（第１のインシュレータ６と第２のインシュレータ７の径内方）に向けて矢印Ａ２方向に移動させることにより実施される。
【００３２】
図５は、端子ピン８の一構成例を示す斜視図である。図５に示すように、端子ピン８は角ピンで形成されており、断面形状は矩形形状となっている（図４参照）。端子ピン８の両端部から所定距離内側の位置には、それぞれ角ピンの一部を潰して形成された突起部１８が設けられる。この突起部１８は、第１のインシュレータ６の端子ピン装着部１０と、第２のインシュレータ７の端子ピン装着部１５のそれぞれに対応する位置（端子ピン装着部１０の軸方向の外側位置、端子ピン装着部１５の軸方向の外側位置）に設けられている。
【００３３】
次に、上記突起部１８を有する端子ピン８を、ステータコア２の隣接する突極３間で、第１のインシュレータ６の端子ピン装着部１０と第２のインシュレータ７の端子ピン装着部１５に装着するための作業について、図４を参照して詳細に説明する。なお、図４において、端子ピン８は本体部の断面構造が矩形で、装着方向（矢印Ａ２方向）と直交する方向に上記突起部１８が突出した材として示されている。
【００３４】
この端子ピン８の装着作業に際しては、まず、ステータコア２の隣接する突極３の間、すなわち、図４においては、第１のインシュレータ６の隣接する突極装着部９の間、並びに第２のインシュレータ７の隣接する突極装着部１４の間に、端子ピン８をその長手方向がステータコア２の軸方向（第１のインシュレータ６、並びに第２のインシュレータ７の軸方向）に平行となるように保持する。
【００３５】
この状態から、端子ピン８を、ステータコア２の環状部（すなわち、第１のインシュレータ６の環状部６０、並びに第２のインシュレータ７の環状部７０）の径内方に向けて矢印Ａ２方向に移動させていく。
【００３６】
端子ピン８は、上記移動の過程で、その移動方向先端部分（以下、単に先端部という）が端子ピン装着部１０の一対の爪部１１，１１の開口部、並びに端子ピン装着部１５の一対の爪部１６，１６の開口部に当接する。ここで、端子ピン装着部１０の一対の爪部１１，１１の開口部、並びに端子ピン装着部１５の一対の爪部１６，１６の開口部は、端子ピン８の矢印Ａ２方向への移動に追従して端子ピン８の先端部の幅方向に押し広げられる。該端子ピン８は、更に上記矢印Ａ２方向に移動させることにより、上記爪部１１、１１間、並びに爪部１６、１６間に嵌着される。
【００３７】
上記嵌着によって、端子ピン８が上記爪部１１，１１間、並びに爪部１６，１６間の収容部にそれぞれ収容されると、上記爪部１１，１１、並びに爪部１６，１６は、押し広げられていた状態から元の開口状態に復帰する。この時、上記爪部１１，１１に設けた返し１２，１２、並びに上記爪部１６，１６に設けられた返し１７，１７は、上記各収容部に収容された端子ピン８が第１のインシュレータ６の環状部６０、並びに第２のインシュレータ７の環状部７０の径外方（矢印Ａ１方向）に移動できないように当該端子ピンの後端部に当接される。これにより、端子ピン装着部１０、並びに端子ピン装着部１５は、端子ピン８が、上記爪部１１，１１間、並びに爪部１６，１６間から上記径外方（矢印Ａ１方向）に抜け落ちることを止めることができる。
【００３８】
ここで、上述した端子ピン８の装着状態を断面図で検証してみる。図１には、第１のインシュレータ６の端子ピン装着部１０の爪部１１，１１間、並びに第２のインシュレータ７の端子ピン装着部１５の爪部１６，１６間に、端子ピン８が、第１のインシュレータ６の環状部６０、並びに第２のインシュレータ７の環状部７０の径外方（矢印Ａ２方向）から嵌着されている状態が示されている。
【００３９】
この嵌着状態において、端子ピン８の両端近傍に設けられる突起部１８（図５参照）は、第１のインシュレータ６の端子ピン装着部１０と第２のインシュレータ７の端子ピン装着部１５のそれぞれの軸方向外側に位置することとなる（図１参照）。このように、端子ピン８の突起部１８が第１のインシュレータ６の端子ピン装着部１０と第２のインシュレータ７の端子ピン装着部１５のそれぞれ軸方向外側に位置しているので、該突起部１８は、軸方向での端子ピン８の抜け止めとして作用する。
【００４０】
また、第１のインシュレータ６の端子ピン装着部１０の爪部１１，１１と第２のインシュレータの端子ピン装着部１５の爪部１６，１６には、それぞれ返し１２，１２と１７，１７とが形成されている。前述したように、この返し１２，１２と１７，１７は、上記爪部１１，１１間、並びに上記爪部１６，１６間にそれぞれ嵌着された端子ピン８の上記径外方（矢印Ａ１方向）への抜け止めとして作用する。このように、本実施形態に係るステータ構造１は、端子ピン８に対する軸方向での抜け止め機能と、上記径外方への端子ピン８の抜け止め機能を備えている。これにより端子ピン８は端子ピン装着部１０、１５から脱落することなく、コイル１９のコイル末端を端子ピン８の一方端に絡げることができる。
【００４１】
（一実施形態の効果）
上述したように、本実施形態のステータ構造１は、第１のインシュレータ６に設けられ、ステータコア２の一面側のそれぞれの突極３を覆う突極装着部９のうちの隣接する突極装着部９間に設けられる端子ピン装着部１０と、第２のインシュレータ７に設けられ、ステータコア２の他の面側のそれぞれの突極３を覆う突極装着部１４のうちの隣接する突極装着部１４間に設けられる端子ピン装着部１５とを具備し、端子ピン装着部１０と端子ピン装着部１５は、端子ピン８を第１及び第２のインシュレータ６、７の半径方向（径外方）から嵌め込んで嵌着させる一対の爪部（１１，１１）、（１６，１６）と、上記一対の爪部（１１，１１）、（１６，１６）に形成され、一対の爪部（１１，１１）、（１６，１６）に嵌着された端子ピン８が上記半径方向（径外方）に抜けるのを止める抜け止め用突起部としての返し（１２，１２）、（１７，１７）をそれぞれ有することを特徴とする。
【００４２】
このように、第１のインシュレータ６の端子ピン装着部１０と第２のインシュレータ７の端子ピン装着部１５に、端子ピン８を、当該インシュレータ６、７の径外方から嵌め込んで嵌着させる本実施形態のステータ構造１によれば、端子ピン８とインシュレータ６、７との接触状態にバラツキが生じ難く、端子ピン８の保持力もバラツキが生じ難い。この結果、端子ピン８の一端部を回路基板の孔部に挿入し、ハンダで電気的に接続する際にも端子ピン８がインシュレータ６、７から脱落する虞がない。
【００４３】
また、本実施形態によれば、端子ピン８は、端子ピン装着部１０と端子ピン装着部１５間の軸方向の長さの外側位置にそれぞれ突起部１８、１８を形成した構造を有する。かかる構造によれば、突起部１８、１８が端子ピン８の軸方向への移動を規制する。これにより、端子ピン８の軸方向への抜け止めを図ることもできる。
【００４４】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４５】
例えば、本実施形態では、端子ピン８の径外方への抜け止めとして、図４に示すように、端子ピン装着部１０、１５の一対の爪部１１，１１、１６，１６に、互いに対向するように内側に向って返し１２，１２、１７，１７を形成し、この返し１２，１２、１７，１７が端子ピン８の角ピン部を止めることによって、端子ピン８の半径方向の抜け止めとして作用する例を挙げている。そこで、本実施形態の変形例としては、上記返し１２，１２、１７，１７に代えて、一対の爪部１２，１２、１７，１７にその軸方向に沿って返しを形成し、この軸方向に形成した返しが端子ピン８の突起部１８を止めるようにすることによって、端子ピン８の半径方向の抜け止めとして作用させるような構成としても良い。
【符号の説明】
【００４６】
１      ステータ構造
２      ステータコア
３      突極
４      極歯部
５      インシュレータ
６      第１のインシュレータ
６０    第１のインシュレータ６の環状部
７      第２のインシュレータ
７０    第２のインシュレータ７の環状部
８      端子ピン
１８    突起部
９、１４      突極装着部
１０、１５    端子ピン装着部
１１、１６    爪部
１２、１７    返し
１９  コイル
【図１】
2014217208.tif 000003
【図２】
2014217208.tif 000004
【図３】
2014217208.tif 000005
【図４】
2014217208.tif 000006
【図５】
2014217208.tif 000007
【図６】
2014217208.tif 000008
【図７】
2014217208.tif 000009